(57)【特許請求の範囲】
【請求項１】
横長の長方形の一方の長辺に沿って段部を形成する複数の支持プレートと、該支持プレートに共通に組み合わせる複数の吸着用のマグネットと、前記支持プレート、マグネットを収納する蓋付きの箱体とを備えてなり、前記支持プレートは、同一高さの前後対称の２枚を１組として高さが異なる所定組数を前記箱体に整列して収納し、前記箱体には、片面吸着形の円柱状の前記マグネットの所定数を個別に収納するポケットを形成し、該ポケットの底面には、前記マグネットを吸着させて保持する保持材を固定することを特徴とするバイス用のワーク保持具セット。
【請求項２】
前記マグネットは、前記支持プレートの前後に貫通する取付孔に挿入し、止めねじを介して前記支持プレートの厚さ方向に位置決めすることにより前記支持プレートに装着可能であることを特徴とする請求項１記載のバイス用のワーク保持具セット。
【請求項３】
前記止めねじ用のねじ孔は、前記支持プレート上において、前記段部を形成しない方の長辺側から前記取付孔に向けて形成することを特徴とする請求項２記載のバイス用のワーク保持具セット。
【請求項４】
前記保持材は、前記ポケットの底面に装着する木ねじであることを特徴とする請求項１ないし請求項３のいずれか記載のバイス用のワーク保持具セット。
【発明の詳細な説明】
【技術分野】
【０００１】
この発明は、小さいワークをバイスに正しく把持させるために使用するバイス用のワーク保持具セットに関する。
【背景技術】
【０００２】
小さいワークをバイスに正しく把持させて加工するために、バイス用のワーク保持具が知られている（特許文献１）。
【０００３】
従来のバイス用のワーク保持具は、精密に加工された横長の支持プレートと、吸着用のマグネットとからなり、マグネットを介して適切な高さの支持プレートをバイスの口金に吸着させて固定することにより、支持プレートを介してワークをバイスの適切な高さ位置に安定に保持することができる。なお、マグネットは、支持プレートに対して着脱自在に組み合わせ、支持プレートは、たとえば高さが１mmまたは２mm置きに異なる多数枚を用意しておき、ワークのサイズに適合するものを選択して使用するものとする。
【特許文献１】特開平９−２０７０７３号公報
【発明の開示】
【発明が解決しようとする課題】
【０００４】
かかる従来技術によるときは、多数枚の支持プレートや、吸着用のマグネットは、保管や持運びが意外に面倒であり、ワークに合わせて所定の高さの支持プレートを選択することも、必ずしも簡便でないという問題があった。
【０００５】
そこで、この発明の目的は、かかる従来技術の問題に鑑み、支持プレートと、支持プレートから分離させた吸着用のマグネットとを箱体に一括して収納することによって、収納、保管や、全体の持運び、支持プレートの選択などに至便なバイス用のワーク保持具セットを提供することにある。
【課題を解決するための手段】
【０００６】
かかる目的を達成するためのこの発明の構成は、横長の長方形の一方の長辺に沿って段部を形成する複数の支持プレートと、支持プレートに共通に組み合わせる複数の吸着用のマグネットと、支持プレート、マグネットを収納する蓋付きの箱体とを備えてなり、支持プレートは、同一高さの前後対称の２枚を１組として高さが異なる所定組数を箱体に整列して収納し、箱体には、片面吸着形の円柱状のマグネットの所定数を個別に収納するポケットを形成し、ポケットの底面には、マグネットを吸着させて保持する保持材を固定することをその要旨とする。
【０００７】
なお、マグネットは、支持プレートの前後に貫通する取付孔に挿入し、止めねじを介して支持プレートの厚さ方向に位置決めすることにより支持プレートに装着可能であってもよく、止めねじ用のねじ孔は、支持プレート上において、段部を形成しない方の長辺側から取付孔に向けて形成することができる。
【０００８】
また、保持材は、ポケットの底面に装着する木ねじとしてもよい。
【発明の効果】
【０００９】
かかる発明の構成によるときは、箱体は、支持プレートと共通に組み合わせる所定数の吸着用のマグネットを個別に収納するポケットを形成し、各支持プレートは、マグネットを取り外した状態で互いに密着させて所定組数を箱体に整列して収納するから、箱体のサイズを必要最小限に小さくすることができ、収納、保管や、全体の持運び、支持プレートの選択などにも極めて便利である。なお、支持プレートは、高さが１mmまたは２mm置きに異なる２枚１組の１０〜２０組（２０〜４０枚）程度を箱体に収納するものとする。１０組未満では、適切に把持し得るワークのサイズ範囲が狭くて不便であり、２０組超では、全体重量が重くなり過ぎて持運びに支障を来たすおそれがある。
【００１０】
マグネットは、各支持プレートに共通に装着し得るように、その形状、サイズを設定するものとし、円柱状の片面吸着形とすることにより、ポケットの形状を単純な円形穴にすることができる。また、箱体に収納するマグネットの総数は、同時に使用する可能性がある支持プレートの数に見合う所定数であればよく、箱体内の支持プレートの総数より相当に少なくて足りる。
【００１１】
ポケットの底面に固定する保持材は、ポケット内のマグネットを吸着させ、ポケットから不用意に脱落しないようにマグネットをポケット内に保持することができる。なお、保持材は、マグネットが吸着する磁性体であれば、板状、ブロック状などの任意の形状でよく、ポケットの底面に対し、接着、埋設、ねじ止めなどの任意の方法で固定すればよい。また、保持材は、鉄製の木ねじをポケットの底面中央に差し込んで装着するだけでも十分である。
【００１２】
吸着用のマグネットは、取付孔に挿入し、止めねじを介して支持プレートの厚さ方向に位置決めすることにより、支持プレートの表面から吸着面を後退させることができ、バイスの口金に対する吸着力を適切に調節することができる。また、支持プレートの段部を形成しない方の長辺側、すなわち支持プレートの下側から取付孔に向けてねじ孔を形成し、止めねじをねじ込むことにより、ワークを加工することによって発生する切粉が止めねじにかかることがなく、加工後のマグネットの取外しに際して、切粉の除去作業をする必要がない。
【発明を実施するための最良の形態】
【００１３】
以下、図面を以って発明の実施の形態を説明する。
【００１４】
バイス用のワーク保持具セットは、蓋２０付きの箱体１０に支持プレートＴ1 、Ｔ1 …、吸着用のマグネットＴ2 、Ｔ2 …を収納してなる（図１、図２）。なお、各支持プレートＴ1 は、マグネットＴ2 と組み合わせることにより、バイス用のワーク支持具として使用することができる。
【００１５】
箱体１０は、底板１１、背板１２、左右の側板１３、１３、中間の仕切板１４を備えている。背板１２は、底板１１の後端に立設されており、側板１３、１３は、底板１１、背板１２の左右の両端に立設されている。ただし、各側板１３は、背板１２と同一高さであり、底板１１の前後の幅よりやや短いサイズに裁断されている。仕切板１４は、側板１３、１３の中間において、箱体１０内を左右に仕切るようにして、底板１１、背板１２の間に立設されている。なお、仕切板１４は、側板１３、１３よりやや低く、側板１３、１３より短い。仕切板１４の前端には、側板１３、１３の間を連結する枕木１５が底板１１上に設置されている。
【００１６】
蓋２０は、天板２１の前端に前板２２を組み合わせて形成されている。天板２１の後端は、ヒンジ２３、２３を介して背板１２の上端に連結されており（図２、図３）、蓋２０は、ヒンジ２３、２３を介し、箱体１０の上面、前面を開閉することができる（図１の実線、二点鎖線、図２の二点鎖線、実線）。なお、蓋２０の開放限を規定するために、背板１２の外面の上端付近には、横長のブロック体１２ａがねじ止めされている。
【００１７】
前板２２の表面には、開閉用の横長凹状の手掛け２２ａが形成されており（図４）、側板１３、１３の外面には、それぞれ持運び用の手掛け用のブロック体１３ａがねじ止めされている。前板２２の下端面には、短い位置決め用のピン２２ｂ、２２ｂが植設されており（図１、図５）、底板１１の前縁には、ピン２２ｂ、２２ｂに対応する係止穴１１ｂ、１１ｂが形成されている。そこで、蓋２０は、箱体１０の上面、前面を閉じると、ピン２２ｂ、２２ｂが係止穴１１ｂ、１１ｂに挿入され、ヒンジ２３、２３を介して一体の頑丈な蓋付きの収納箱を形成することができる。
【００１８】
箱体１０内には、仕切板１４を介して左右の収納スペースＳ、Ｓが形成され（図１）、各収納スペースＳには、複数の支持プレートＴ1 、Ｔ1 …を立てて整列させてコンパクトに収納することができる。
【００１９】
支持プレートＴ1 は、横長の長方形の板状に形成されている（図６）。支持プレートＴ1 は、一方の長辺に沿って段部Ｔ1aが形成され、正面には、吸着用のマグネットＴ2 、Ｔ2 …用の取付孔Ｔ1b、Ｔ1b…が前後に貫通して一列に開口されている。なお、各取付孔Ｔ1bには、段部Ｔ1a側から止めねじＴ1c用のねじ孔Ｔ1dが形成されており、止めねじＴ1cは、六角レンチＴ3 を介して締め付けることにより、取付孔Ｔ1b内のマグネットＴ2 を固定することができる。また、支持プレートＴ1 の一端には、支持プレートＴ1 の高さＨを示す銘板Ｔ1eが取り付けられている。銘板Ｔ1eは、支持プレートＴ1 の端面に形成する凹所Ｔ1f内に、リベットＴ1g、Ｔ1gを介して止められている（図７）。ただし、図７（Ａ）、（Ｂ）は、それぞれ支持プレートＴ1 の要部拡大斜視図、一部切欠き要部拡大正面図である。
【００２０】
マグネットＴ2 は、円柱状の片面吸着形に仕上げられている（図６）。すなわち、マグネットＴ2 は、充填剤Ｔ2bを介し、円柱状の永久磁石Ｔ2aを鋼材製の有底円筒状のケースＴ2cに収納し、永久磁石Ｔ2aの一方の磁極面を外部に露出させて吸着面として形成されている。
【００２１】
マグネットＴ2 の高さｈは、支持プレートＴ1 の厚さｔに対し、ｈ≧ｔに設定されている（図８（Ａ））。そこで、取付孔Ｔ1b内のマグネットＴ2 は、止めねじＴ1cを介して支持プレートＴ1 の厚さｔ方向に任意に位置決めして固定することにより、支持プレートＴ1 の表面（後面）と吸着面との間に適切なギャップｇを形成し、マグネットＴ2 による支持プレートＴ1 の吸着力を任意に調節することができる。なお、支持プレートＴ1 上において、止めねじＴ1c用のねじ孔Ｔ1dは、段部Ｔ1aを形成しない方の長辺側から取付孔Ｔ1bに向けて形成し、止めねじＴ1cをねじ込んでもよい（同図（Ｂ））。
【００２２】
このような支持プレートＴ1 は、小物のワークをバイスに把持するときに、いわゆるバイス用の正敷台として使用する。支持プレートＴ1 の代表的な使用方法は、たとえばワークの厚さに合わせて適切に選択する同一高さＨの２枚をそれぞれマグネットＴ2 によりバイスの固定ジョー、可動ジョーの各口金の内面に対向させて吸着させ、両者間にワークを掛け渡すことにより、薄板状のワークをバイスに安定に把持させることができる（特開平９−２０７０７３号公報参照）。なお、このときの各支持プレートＴ1 は、段部Ｔ1aを形成しない側の長辺を下にしてバイスのベース上に当接させ、段部Ｔ1a側の長辺上にワークの先端を掛けるようにして載せることにより、ワークの上面をバイスの固定ジョー、可動ジョーより高く突出させて把持するものとする。
【００２３】
そこで、箱体１０には、たとえば高さＨが等しく、前後対称の支持プレートＴ1 、Ｔ1 を２枚１組として（図１）、高さＨを１mmまたは２mm置きの数値系列に設定する１０〜２０組を１セットにまとめて収納することが好ましい。ただし、マグネットＴ2 は、支持プレートＴ1 をバイスの口金に吸着させるとき、図６に拘らず、一般に１個のみを中央の取付孔Ｔ1bに挿着すれば十分である。
【００２４】
箱体１０内において、支持プレートＴ1 の吸着用のマグネットＴ2 、Ｔ2 …は、１セットの支持プレートＴ1 、Ｔ1 …に共通の必要個数、たとえば４個のみを用意し、支持プレートＴ1 、Ｔ1 …から分離して、六角レンチＴ3 とともに仕切板１４の上側端面に列設して形成するポケット１４ａ、１４ａ…、１４ｂに収納することができる（図１、図９）。また、支持プレートＴ1 、Ｔ1 …は、たとえば高さＨが等しい前後対称の２枚ごとの背面側を密着させ、銘板Ｔ1e側の先端部を枕木１５上に掛けるようにして箱体１０の各収納スペースＳに整然と整列させて収納することにより（図１、図２）、所定の高さＨのものを容易に選択して取り出して使用することができる。たとえば枕木１５の前方において、任意の隣接する２枚の支持プレートＴ1 、Ｔ1 の先端部に対して下側から手指Ｆを共通に掛け（図２）、そのまま上方に回転させることにより（同図の矢印方向、一点鎖線）、所定の２枚を簡単に取り出すことができる。
【００２５】
仕切板１４上の六角レンチＴ3 用のポケット１４ｂは、六角レンチＴ3 の短辺側を差し込むための小径の丸穴である（図９）。一方、マグネットＴ2 用のポケット１４ａは、マグネットＴ2 の外径に適合する円形穴であって、マグネットＴ2 を収納するとき、指先による摘み代ｄ相当だけマグネットＴ2 の高さｈより浅く形成されている（図１０（Ａ））。また、各ポケット１４ａの底面中央には、マグネットＴ2 が吸着する鉄製の木ねじ１４ｃが装着されており、したがって、マグネットＴ2 は、永久磁石Ｔ2aによる吸着面を下にしてポケット１４ａに収納することにより、木ねじ１４ｃに吸着してポケット１４ａから不用意に脱落することがない。すなわち、木ねじ１４ｃは、ポケット１４ａ内のマグネットＴ2 を吸着させて保持する保持材となっている。
【００２６】
なお、木ねじ１４ｃを介し、ポケット１４ａの底面に磁性体の保持材１４ｄをねじ止めしてもよく（図１０（Ｂ））、このときの木ねじ１４ｃは、非磁性体製であってもよい。また、磁性体の保持材１４ｄは、ポケット１４ａの底面に埋設してもよく、接着してもよい（同図（Ｃ）、（Ｄ））。さらに、磁性体の保持材１４ｄは、図示の板状に代えて、ブロック状に形成してもよい。
【００２７】
また、箱体１０は、仕切板１４を省略してもよく、このとき、ポケット１４ａ、１４ａ…、１４ｂは、たとえば背板１２または側板１３の上部内面に固定する図示しないブロック体の上面に形成してもよい。
【図面の簡単な説明】
【００２８】
【図１】全体構成斜視図（１）
【図２】図１の要部縦断面図
【図３】図１の背面図
【図４】全体構成斜視図（２）
【図５】図２の要部拡大断面図
【図６】ワーク保持具の分解斜視図
【図７】図６の要部構成説明図
【図８】図６のＹ−Ｙ線矢視相当拡大断面説明図
【図９】図１のＸ矢視相当拡大図
【図１０】図９のＺ−Ｚ線矢視相当拡大断面説明図
【符号の説明】
【００２９】
Ｔ1 …支持プレート
Ｔ1a…段部
Ｔ1b…取付孔
Ｔ1c…止めねじ
Ｔ1d…ねじ孔
Ｔ2 …マグネット
１０…箱体
１４ａ…ポケット
１４ｃ…木ねじ
１４ｄ…保持材
２０…蓋
特許出願人          株式会社  ニシムラジグ
代理人  弁理士              松  田  忠  秋
【図１】
0005231832.tif 000002
【図２】
0005231832.tif 000003
【図３】
0005231832.tif 000004
【図４】
0005231832.tif 000005
【図５】
0005231832.tif 000006
【図６】
0005231832.tif 000007
【図７】
0005231832.tif 000008
【図８】
0005231832.tif 000009
【図９】
0005231832.tif 000010
【図１０】
0005231832.tif 000011